(57)【要約】【課題】  蹴り出し時のグリップ性を向上できる野球用スパイクシューズを提供する。【解決手段】  アウトソール１の前足部におけるスパイクが、前足部の最前端に配置されたスパイクを含む前側スパイクプレート２と、前側スパイクプレート２の後方に配置され、前足部の最後端に配置されたスパイクを含む後側スパイクプレート３とに設けられており、アウトソール１の全長をＬとし、アウトソール１の踵後端縁から後側スパイクプレート３の最後端縁までの距離をＬ１とするとき、０．５７０＜Ｌ１/Ｌ＜０．５９０の関係が成立しており、さらに、前側スパイクプレート２における外甲側の最外側のスパイク２２の中心と、後側スパイクプレート３における最前端のスパイク３１の中心との距離をＬ２とするとき、０．１５５＜Ｌ２/Ｌ＜０．１６０の関係が成立している。【選択図】    図１
2006141826.tif 000002
【特許請求の範囲】
【請求項１】
アウトソールの前足部および踵部にそれぞれ複数のスパイクが配設された野球用スパイクシューズにおいて、
アウトソールの前足部におけるスパイクが、前足部の最前端に配置されたスパイクを含む前側スパイクプレートと、前側スパイクプレートの後方に配置され、前足部の最後端に配置されたスパイクを含む後側スパイクプレートとに設けられており、アウトソールの全長をＬとし、アウトソールの踵後端縁から後側スパイクプレートの最後端縁までの距離をＬ１とするとき、
０．５７０＜Ｌ１/Ｌ＜０．５９０
の関係が成立しており、
さらに、前側スパイクプレートにおける外甲側の最外側のスパイクの中心と、後側スパイクプレートにおける最前端のスパイクの中心との距離をＬ２とするとき、
０．１５５＜Ｌ２/Ｌ＜０．１６０
の関係が成立している、
ことを特徴とする野球用スパイクシューズ。
【請求項２】
請求項１において、
前側スパイクプレートおよび後側スパイクプレートが、いずれも３本のスパイクから構成されている、
ことを特徴とする野球用スパイクシューズ。
【請求項３】
アウトソールの前足部および踵部にそれぞれ複数のスパイクが配設された野球用スパイクシューズにおいて、
着用者の第１趾先端の外側に位置するアウトソール領域における蹴り出し時の曲げ変形にともなう剪断ひずみが、アウトソール全体の蹴り出し時における曲げ変形にともなう剪断ひずみと逆向きになっている、
ことを特徴とする野球用スパイクシューズ。
【発明の詳細な説明】
【技術分野】
【０００１】
本発明は、野球用スパイクシューズに関し、とくに蹴り出し時のグリップ性を向上させるための構造の改良に関する。
【背景技術】
【０００２】
野球用スパイクシューズとして、たとえば特開平９−１７３１０４号公報に示すようなものが提案されている。同公報に示すものでは、前足部の屈曲性を向上させるように各スパイクの位置および向きが決定されている。
【０００３】
ところが、最近になって、前足部の屈曲性のみを追求していたのでは、却って安定性を欠き、蹴り出しのグリップ性を低下させることが分かってきた。
【特許文献１】特開平９−１７３１０４号公報
【発明の開示】
【発明が解決しようとする課題】
【０００４】
本発明が解決しようとする課題は、蹴り出しのグリップ性を向上できる野球用スパイクシューズを提供することにある。
【課題を解決するための手段】
【０００５】
本願発明に係る発明者は、スパイク配置が異なる種々のシューズを用意し、これらのシューズのうち、シューズ着用者がグリップ性を良好なものと体感できるシューズと、そうでないシューズについて、このようなグリップ性に違いが生じる条件を求めようとした。
【０００６】
まず、各シューズのアウトソールに有限要素法（ＦＥＭ）を適用することにより、蹴り出しの際のアウトソール屈曲時におけるアウトソールの変形の仕方について解析を行った。
【０００７】
その結果、着用者の足指の第１趾先端部の外側に位置するアウトソール領域（図１中の領域Ａ参照）における蹴り出し時の曲げ変形にともなう剪断ひずみが、アウトソール全体の蹴り出し時の曲げ変形にともなう剪断ひずみと逆符号になっている場合に、シューズ着用者が蹴り出し時のグリップ性を良好なものと体感できることが分かった。
【０００８】
そこで、本願発明者は、さらに解析を行って、足指の第１趾先端部の外側に位置するアウトソール領域Ａにおける曲げ変形時の剪断ひずみがアウトソール全体の曲げ変形時の剪断ひずみに対して逆符号となる条件を求めた。
【０００９】
この解析においては、アウトソールの前足部に前側スパイクプレートおよび後側スパイクプレートを有しかつ各スパイクプレートがいずれも３本のスパイクから構成されているスパイクシューズを例にとった。また、各スパイクプレートの面積や、各スパイクの傾斜角度、各スパイクのアウトソール内の位置、各スパイク間の相対的位置関係などについて詳細に解析を行った。
【００１０】
こうした解析によって、各スパイクプレートの面積や各スパイクの傾斜角度は、前記アウトソール領域Ａの曲げ変形時の剪断ひずみを逆符号とする条件には無関係であることが分かった。そして、前記アウトソール領域Ａの曲げ変形時の剪断ひずみを逆符号とする条件は、アウトソールの踵後端縁から後側スパイクプレートの最後端縁までの距離Ｌ１と、前足部の前側スパイクプレートにおける最外側のスパイクの中心から後側スパイクプレートにおける最前端のスパイクの中心までの距離Ｌ２とに応じて定まることが分かった。本発明は、このような解析結果に基づいてなされたものである。
【００１１】
本願の請求項１の発明に係る野球用スパイクシューズは、アウトソールの前足部におけるスパイクが、前足部の最前端に配置されたスパイクを含む前側スパイクプレートと、前側スパイクプレートの後方に配置され、前足部の最後端に配置されたスパイクを含む後側スパイクプレートとに設けられており、アウトソールの全長をＬとし、アウトソールの踵後端縁から後側スパイクプレートの最後端縁までの距離をＬ１とするとき、０．５７０＜Ｌ１/Ｌ＜０．５９０の関係が成立している。さらに、前側スパイクプレートにおける外甲側の最外側のスパイクの中心と、後側スパイクプレートにおける最前端のスパイクの中心との距離をＬ２とするとき、０．１５５＜Ｌ２/Ｌ＜０．１６０  の関係が成立している。
【００１２】
Ｌ１，Ｌの間およびＬ２，Ｌの間にそれぞれ上記関係が成立しているとき、図２および図３に示すように、着用者の第１趾先端部の外側に位置するアウトソール領域Ａにおける蹴り出し時の曲げ変形にともなう剪断ひずみが「＋」となり、これは、アウトソール領域Ａにおける蹴り出し時の曲げ変形にともなう剪断ひずみがアウトソール全体の曲げ変形にともなう「−」の剪断ひずみに対して逆向きの符号を有していることを表わしている。言い換えれば、この場合には、アウトソール領域Ａに作用する剪断力の向きがアウトソール全体に作用する剪断力の向きと逆向きになる。
【００１３】
これにより、蹴り出し時の力がロスすることなく、そのままグリップ力としてスパイクから接地面に確実に伝達されるようになって、シューズ着用者が蹴り出し時のグリップ性を良好なものと体感できるようになり、野球用スパイクシューズとしてのグリップ性を向上できる。
【００１４】
これに対して、アウトソール領域Ａにおける蹴り出し時の曲げ変形にともなう剪断ひずみがアウトソール全体の曲げ変形にともなう剪断ひずみと同符号である場合には、蹴り出し時の力がアウトソールの曲げ変形に用いられる結果、蹴り出し時の力の一部しかグリップ力として接地面に伝達されず、シューズ着用者が蹴り出し時のグリップ性を良好なものと体感することができない。
【００１５】
請求項２の発明においては、前側スパイクプレートおよび後側スパイクプレートが、いずれも３本のスパイクから構成されている。
【００１６】
請求項３の発明においては、アウトソールの前足部および踵部にそれぞれ複数のスパイクが配設された野球用スパイクシューズにおいて、着用者の第１趾先端部の外側に位置するアウトソール領域における蹴り出し時の曲げ変形にともなう剪断ひずみが、アウトソール全体の曲げ変形にともなう剪断ひずみに対して逆向きの符号を有している。
【発明の効果】
【００１７】
以上のように本発明によれば、シューズ着用者の足指の第１趾先端部の外側に位置するアウトソール領域における蹴り出し時の曲げ変形にともなう剪断ひずみが、アウトソール全体の曲げ変形にともなう剪断ひずみに対して逆向きの符号を有するように構成されているので、シューズ着用者が蹴り出し時のグリップ性を良好なものと体感できるようになって、野球用スパイクシューズとしてのグリップ性を向上できる。
【発明を実施するための最良の形態】
【００１８】
以下、本発明の実施例を添付図面に基づいて説明する。
図１は、本発明の一実施例による野球用スパイクシューズのアウトソールの底面図である。同図に示すように、アウトソール１は、前足部の前側に配置された前側スパイクプレート２と、前足部の後側に配置された後側スパイクプレート３と、踵部に配置された踵部スパイクプレート４とを備えている。
【００１９】
前側スパイクプレート２は、アウトソール底面に固定された底面視略Ｙ字状のプレート２０と、プレート２０に一体形成されるとともにプレート２０の各端部から下方に板状に突出するスパイク２１，２２，２３とから構成されている。
【００２０】
スパイク２１は、着用者の足の第１趾末節骨骨頭付近にほぼ対応する位置に配置され、スパイク２２は、第２趾末節骨骨頭付近にほぼ対応する位置に配置され、スパイク２３は、足の拇趾球部の略中央部分に対応する位置に配置されている。したがって、スパイク２１は、アウトソール１の前足部の最前端に配置されている。
【００２１】
後側スパイクプレート３は、アウトソール底面に固定された底面視略Ｙ字状のプレート３０と、プレート３０に一体形成されるとともにプレート３０の各端部から下方に板状に突出するスパイク３１，３２，３３とから構成されている。
【００２２】
スパイク３１は、着用者の足の子指球部の前側部分に対応する位置に配置され、スパイク３２は、子指球部の後側部分に対応する位置に配置され、スパイク３３は、足の拇趾球部の後側部分に対応する位置に配置されている。したがって、スパイク３３は、アウトソール１の前足部の最後端に配置されている。
【００２３】
踵部スパイクプレート４は、アウトソール底面に固定された底面視略Ｙ字状のプレート４０と、プレート４０に一体形成されるとともにプレート４０の各端部から下方に板状に突出するスパイク４１，４２，４３とから構成されている。
【００２４】
次に、アウトソール１の全長をＬとし、アウトソール１の踵後端縁から後側スパイクプレート３の最後端縁までの距離をＬ１とするとき、
０．５７０＜Ｌ１/Ｌ＜０．５９０
の関係が成立している。
【００２５】
さらに、前側スパイクプレート２における外甲側の最外側のスパイク２２の中心と、後側スパイクプレート３における最前端のスパイク３１の中心との距離をＬ２とするとき、
０．１５５＜Ｌ２/Ｌ＜０．１６０
の関係が成立している。
【００２６】
Ｌ１，Ｌの間およびＬ２，Ｌの間にそれぞれ上記関係が成立しているとき、前記［課題を解決するための手段］の項で述べたように、着用者の第１趾先端部つまり第１趾末節骨骨頭部の外側に位置するアウトソール領域Ａ（図１参照）における蹴り出し時の曲げ変形にともなう剪断ひずみが、アウトソール全体の曲げ変形にともなう「−」の剪断ひずみとは逆向きの「＋」となる（図２および図３参照）。
【００２７】
言い換えれば、この場合には、アウトソール領域Ａに作用する剪断力の向きがアウトソール全体に作用する剪断力の向きと逆向きになる。
【００２８】
ここで、上記各不等式をそれぞれ満足する具体例として、Ｌ１/Ｌ＝０．５８９かつＬ２/Ｌ＝０．１５６の場合における蹴り出し時のアウトソールの曲げ変形にともなう剪断ひずみ分布を図４に示す。なお、図４中、グレーの部分は剪断ひずみが「−」の領域を示し、黒色の部分は剪断ひずみが「＋」の領域を示している。
【００２９】
この場合には、アウトソール領域Ａの剪断ひずみの符号が「＋」となっており、アウトソール全体の曲げ変形にともなう剪断ひずみの符号「−」と逆向きになっている。なお、アウトソール全体の曲げ変形にともなう剪断ひずみは、アウトソール１の中足部分で判断される。
【００３０】
これにより、蹴り出し時の力がロスすることなく、そのままグリップ力としてスパイクから接地面に確実に伝達されるようになって、シューズ着用者が蹴り出し時のグリップ性を良好なものと体感できるようになり、野球用スパイクシューズとしてのグリップ性を向上できる。
【００３１】
これに対して、アウトソール領域Ａにおける蹴り出し時の曲げ変形にともなう剪断ひずみがアウトソール全体の曲げ変形にともなう剪断ひずみと同符号である場合、すなわち、アウトソール領域Ａの剪断ひずみの符号がアウトソール全体の曲げ変形にともなう剪断ひずみの符号と同符号の「−」となっている場合には、蹴り出し時の力がアウトソールの曲げ変形に用いられる結果、蹴り出し時の力の一部しかグリップ力として接地面に伝達されず、シューズ着用者が蹴り出し時のグリップ性を良好なものと体感することができない。
【００３２】
ここで、上記各不等式をいずれも満足しない具体例として、Ｌ１/Ｌ＝０．６０７かつＬ２/Ｌ＝０．１６０の場合における蹴り出し時のアウトソールの剪断ひずみの分布を図５に示す。
【００３３】
この場合には、アウトソール領域Ａの剪断ひずみの符号が「−」となっており、アウトソール全体の曲げ変形にともなう剪断ひずみの符号「−」と同じ向きになっている。
【図面の簡単な説明】
【００３４】
【図１】本発明の一実施例による野球用スパイクシューズのアウトソールの底面図である。
【図２】アウトソール（図１）の蹴り出し時におけるアウトソール領域Ａの剪断ひずみとＬ１/Ｌとの関係を示すグラフである。
【図３】アウトソール（図１）の蹴り出し時におけるアウトソール領域Ａの剪断ひずみとＬ２/Ｌとの関係を示すグラフである。
【図４】Ｌ１/Ｌ＝０．５８９かつＬ２/Ｌ＝０．１５６におけるアウトソールの剪断ひずみ分布を示す図である。
【図５】Ｌ１/Ｌ＝０．６０７かつＬ２/Ｌ＝０．１６０におけるアウトソールの剪断ひずみ分布を示す図である。
【符号の説明】
【００３５】
１：  アウトソール
２：  前側スパイクプレート
２１，２２，２３：  スパイク
３：  後側スパイクプレート
３１，３２，３３：  スパイク
Ａ：  アウトソール領域
【図１】
2006141826.tif 000003
【図２】
2006141826.tif 000004
【図３】
2006141826.tif 000005
【図４】
2006141826.tif 000006
【図５】
2006141826.tif 000007